(57)【要約】【課題】  齢と共に脚力が落ち、ふらふらする老年層の自転車走行には補助輪をつけることが望ましいが普及しない。その理由は「補助輪は幼児向けで、大人がすると奇異にみられる」にある。そのためこの発明は、補助輪に歩道清掃という社会貢献的機能を追加し、人々に感謝こそされ奇異になど見られない「大人の補助輪」をつくる。【解決手段】  自転車の補助輪１のＬ字形支柱３の下に、長方体の塵取り箱４を装着し、自転車走行方向面を開口して塵取り入れ口６を形成する。塵取り入れ口６の左右の面に軸穴１９を設け、ここに周回転するローラーシャフト１０を、頭を出して渡す。ローラーシャフト１０の両方の頭にローラー９を、中央部に周回転する複数の箒１２を、各々装着すると、自転車に乗ってローラー９が地面に触れると、ローラー９と箒１２が同回転し歩道の塵を塵取り箱４入れていく。【選択図】図１
2015151124.tif 000002
【特許請求の範囲】
【請求項１】
（イ）  自転車の補助輪１のＬ字形支柱３の下に、長方体の塵取り箱４を、地面と平行に且つ地面と間隔をとって装着し、
（ロ）  塵取り箱４の自転車進行方向の面を開口して、塵取り入れ口６を形成し、
（ハ）  塵取り入れ口６の左右の面に軸穴１９を設け、ここで周回転するローラーシャフト１０を、両穴から頭を出して渡し、
（ニ）  ローラーシャフト１０の両方の頭にローラー９を、中央部に周回転する複数の箒１２を、各々装着する。
以上のような構造で、路上で回転するローラー９が、歩道の塵を集める清掃器を付けた、自転車の補助輪
【請求項２】
（イ）  自転車の補助輪１のＬ字形支柱３の下に、長方体の塵取り箱４を、地面と平行に且つ地面と間隔をとって装着し、
（ロ）  塵取り箱４の自転車進行方向の面を開口して、塵取り入れ口６を形成し、
（ハ）  塵取り箱４の天井面を延長した屋根８の先端に、バネ付き蝶番７を装着し、
（ニ）  屋根８に、塵取り入れ口６の横寸法を超える「口」の字形のリング１５を、バネ付き蝶番７を介してブランコ状に吊るし、
（ホ）  補助輪１の塵取り箱４側に、補助輪１の回転でリング１５に当たりこれを揺らす突起２７を取り付けるが、その位置は補助輪１の外周に取り付ける。
以上のような構造で、ブランコ運動するリング１５が、歩道の塵を掬（すく）い取る清掃器を付けた、自転車の補助輪
【請求項３】
（イ）  自転車本体から垂下するＩ字形支柱１８の下部に、軸穴１９を設け、
（ロ）  軸穴１９に、補助輪１に固定され共に回転する補助輪シャフト２０を装着し、
（ハ）  補助輪シャフト２０の中央部に、周回転する複数の箒１２を装着し、
（ニ）  箒１２と向かい合う面を塵取り入れ口６とした長方体の塵取り箱４を、Ｉ字形支柱１８に装着する。
以上のような構造で、補助輪１の周回転で、歩道の塵を集める清掃器を付けた、自転車の補助輪
【請求項４】
前記請求項１と請求項２と請求項３における補助輪１の円形内にバネ付き蝶番７を装着し、これに繋いで、補助輪１の円形内に収まる大きさの平板にして肉厚の補助輪スタンド２１を装着した、自転車の補助輪
【請求項５】
前記請求項１と請求項２における補助輪１のＬ字形支柱３の上に、また請求項３におけるＩ字形支柱１８の横に、荷物バスケット２４を装着した、自転車の補助輪
【発明の詳細な説明】
【技術分野】
【０００１】  本発明は、自転車の走行を安定させる補助輪にもう一つの機能として、歩道の塵を拾い集める機能を加えるものである。およびその関連用品に関する。
【背景技術】
【０００２】  自転車の走行を安定にする技術では、まず三輪自転車があり既に市場に見られる。しかし自転車としては構造が大きくなり、その分価格が通常自転車の４〜５倍であまり普及していない。次の技術として後輪に補助輪を付けることが考えられて、下記の文献の如く、道路の凹凸対策や乗り心地を改良する等の技術が見られる。しかし本発明の内容、すなわち補助輪に歩道清掃する機能があるものは見当たらない。
【先行技術文献】
【特許文献】
【０００３】
【特許文献１】特許第５１２６９２１号  発明の名称；自転車
【発明の概要】
【発明が解決しようとする課題】
【０００４】  齢と共に脚力が落ちて、ふらふらしがちな老年層の自転車走行には、補助輪をつけることが最も望ましい。しかし普及しない。その理由に次のことがある。
（１）多くの人は、「補助輪は幼児のもので、大人には見苦しいし恥ずかしい。もしどうしても付けるなら、見た人が納得するだけの付加価値が欲しい」と言う。こうした先入観を払拭するに十分な、魅力ある補助輪の開発が待たれる。
（２）大人が本格使用するためには、様々な補助輪用の関連用品が必要である。
【課題を解決するための手段】
【０００５】  これらの課題を解決するためこの発明では、補助輪に社会貢献としての道路清掃機能を付け加えるなら、大人の自転車に補助輪があっても、何ら気後れするものでないと考えた。そこで３種類の歩道清掃器付きの補助輪を発明し、また使用を促進する２用品を発明した。以下に概略を述べる。【０００６】  課題を解決するため請求項１の如く、付けたローラー９の路上走行で、歩道の塵を集める清掃器を付けた自転車補助輪を発明した。【０００７】  課題を解決するため請求項２の如く、補助輪１の回転でリング１５を前後に揺らして、歩道の塵を掬い取る清掃器を付けた自転車補助輪を発明した。【０００８】  課題を解決するため請求項３の如く、補助輪１に付ける箒１２の周回転で、歩道の塵を集める清掃器を付けた自転車補助輪を発明した。【０００９】  課題を解決するため請求項４の如く、補助輪１に内蔵する補助輪スタンド２１を付けた自転車補助輪を発明した。【００１０】課題を解決するため請求項５の如く、請求項１と２におけるＬ字形支柱３の水平部位に、また請求項３におけるＩ字形支柱１８に、荷物バスケット２４を付けた自転車補助輪を発明した。
【発明の効果】
【００１１】  この発明は次のような優れた効果を発揮する。
▲１▼付けている機器を見ると歩道の塵を拾っているという社会貢献が一目瞭然で分り、大人の補助輪使用に誰もネガティブな感じなど持たない。
▲２▼自転車に乗ったまま、いちいち降りることなく自動で塵を拾うことができる。
▲３▼駐輪時は補助輪用のスタンドで、自転車の転倒を減らす。
▲４▼前輪バスケットに積む荷物を分散して、補助輪用のバスケットにも積むと、荷重が分散し走行のバランスを良くする。また地面に近い補助輪への搭載は、重心を下げて走行をより安定させる。
【図面の簡単な説明】
【００１２】
【図１】本発明の、請求項１を示す斜視図
【図２】本発明の、請求項２を示す斜視図
【図３】本発明の、請求項３を示す斜視図
【図４】本発明の、請求項４の示す斜視図
【図５】本発明の、請求項５を示す斜視図
【図６】本発明の、請求項１の構成を簡略に示す展開図
【図７】本発明の、請求項２の構成を簡略に示す展開図
【図８】本発明の、請求項３の構成を簡略に示す展開図
【発明を実施するための形態】
【００１３】  まず、発明を考えた動機を述べる。自分自身も含めて、これからの老齢化社会を考えるとき、買い物や集会や通院など近くへの移動手段は、自動車でなく適度の運動を伴う自転車に変えるべきと考えた。そのためには、ゆっくり走っても「ふらふらしない」自転車が必要と考えた。
【００１４】  最初に電動自転車に試乗してみた。確かに走行が楽になりふらふら感は減るが、交差点や信号などでは一旦停止や減速をしなければならず、ゼロにはならなかった。それと購買価格が８〜１０万円と、年金生活者には手が出しにくい。
【００１５】  そこで幼児用の補助輪を参考に、大人版の補助輪を試作した。これを友人に見せると、「恥ずかしくって、特段の事由がない限り私は乗らない。自ら老人を宣伝しているようなものだ」であった。
【００１６】  友人の答えにはがっかりしたが、開発への大きなヒントでもあった。そうか、恥ずかしさを凌駕する何かを追加すればいいのだと。ここまで来ると新製品の創出は割と簡単であった。恥ずかしさを払拭させには、補助輪付き自転車に乗りながら役に立つこと、出来れば社会貢献している姿を人に見せるのが一番いい。そして老人の社会貢献で最もポピュラーなのは何かと考えると、答えは歩道清掃であった。こうして自転車補助輪の清掃器が生まれた。
【００１７】  さて、路上塵とはどんな物が多いか考察してみよう。多い順に並べると、植物の落ち葉や枯れ枝、破り捨てられた包装紙やチラシ、インスタント食品の容器やペットボトル、古雑誌、食べ物の残り、動物のフン、タバコの吸い殻などと多岐にわたる。当発明ではこれらのうち、一番その量が多い、植物の落ち葉や紙くずやタバコの吸い殻など、サイズで１０ｃｍ、重さで１００ｇ位までのゴミを清掃する。
【００１８】  さらに、この発明全体の土台となる補助輪１について言及する。いま見られる幼児用では、車輪サイズは外径１２〜１５ｃｍ、車輪幅（断面）は１〜１．５ｃｍであり、材質は硬質プラスチックである。しかし当発明が目ざすのは大人用であり、幼児より長時間また快適に乗ることを前提に規格を定めなければならない。その結果、当発明の補助輪はタイヤと呼ぶほうがふさわしく、外径サイズは１８〜２０ｃｍ、巾は３〜５ｃｍとし、材質は道路の衝撃を吸収する弾力性あるゴムとするなど、幼児用より格段に大きく、また走行性を良くしたものにする必要がある。
【００１９】  以上を念頭に、図面の第１から第８図までを見ながら、請求項１から請求項５の実施の形態を詳細に説明する。
【００２０】  請求項１を、図面１と図面６を見ながら説明する。請求項１の特徴は、付けたローラー９の路上回転で、歩道の塵を集める清掃器である。
【００２１】  まず清掃には拾い上げた塵を収納する器が必要で、この発明では長方体の塵取り箱４を用意する。形状はティッシュボックスの少し大きめのサイズ、すなわち縦×横×奥行とも現状ティッシュボックスの１．２倍程度とするのがよい。これを固定ネジ５で、自転車の補助輪１のＬ字形支柱３の下に、地面と平行に且つ地面と接触しないよう固定する。
【００２２】  地面との間隔を数字的に述べると、塵取り箱４は地面と２〜３ｃｍの間隔をとり取り付けるのが最もよい。間隔が狭すぎると地面に当たり、開きすぎると地面の塵を収めづらい。前記に述べた大人の補助輪の理想の規格で言うと、補助輪１の外径は約１８ｃｍ、Ｌ字形支柱３の太さは約２ｃｍ、塵取り箱４の縦寸法は約６ｃｍであり、これから算出すると、この間隔は２ｃｍとなり、ちょうどよい。
【００２３】  ティッシュボックスサイズと言うと清掃出来る幅が狭く感じられるが、補助輪は自転車の左右両サイドに付けるので、１台で１５〜２０ｃｍ幅で歩道清掃する。歩道には多くの自転車が往来し、単純計算ではあるが、もし１０台の自転車がこの補助輪付きであれば、道巾２ｍの歩道はあっという間に綺麗になっていく。
【００２４】  さて、塵取り箱４の自転車走行方向面を開口して、塵取り入れ口６を形成する。汚れた塵をこの中に取り込み、またここから取り出すから、あらかじめコンビニ袋などの塵袋１６をセットしておくのがお勧めである。
【００２５】  次に塵取り入れ口６の両面に軸穴１９を開け、ここに塵取り入れ口６の横幅を超える長さのローラーシャフト１０を回転可能に置く。
【００２６】  軸穴１９は単純な丸穴でなく、片方が肩上がりの楕円形の穴とする。これは後述するコントロールワイヤー１３でローラーシャフト１０を上げ下げして行う清掃器のＯＮ−ＯＦＦコントロールを、この穴位置の上げ下げで行なうためである。
【００２７】  ローラーシャフト１０は単純な丸棒で、塵取り入れ口６の左右に渡して外部両端にローラー９を固定して取り付ける。これでローラーシャフト１０とローラー９は一体となり同回転する。
【００２８】  次にローラーシャフト１０の中央部に、複数の箒１２を固定して取り付ける。箒１２は、プラスチック系の剛毛を何本も束ねて、塵を掃くのに適した柔軟であるが折れないものとしている。
【００２９】  次にローラーシャフト１０の適宜な部位にコントロールワイヤー１３を取り付ける。このワイヤーは、自転車のブレーキワイヤーや変速機ワイヤーのように、運転者の操作しやすいところへ、被覆されて導かれる。
【００３０】  歩道すべての場所に塵が落ちているわけではなく、塵のあるところだけで清掃運転するため、運転者はこのコントロールワイヤー１３を操作する。前記の軸穴１９位置の、下段にローラーシャフト１０が入っているときはＯＮで清掃運転し、上段のときはローラー９が地面から離れ箒１２が回転しないので、清掃運転はＯＦＦとなる。
【００３１】  請求項２を、第２図と第７図を見ながら説明する。請求項２は、補助輪１の回転でリング１５をブランコに揺らして、その反復運動で歩道の塵を掬い取る清掃器を付けた自転車の補助輪である。
【００３２】  まず請求項１の清掃器と同じく、補助輪１のＬ字形支柱３の下に塵取り箱４を取り付け、塵取り入れ口６を自転車走行方向面に開口する。
【００３３】  次に、塵取り箱４の天井面を延長して屋根８を設け、その走行方向の縁にバネ付き蝶番７を付ける。二つの連結を固着ではなく蝶番止めにする理由は、後述するリング１５が塵取り箱４の屋根８の下でブランコ状に反復運動できるようにするためである。
【００３４】  また蝶番をわざわざバネ付きにするのは、上記ブランコ運動で、後ろに引いたリング１５をバネで前へ勢いよく押し出し、その瞬発力で歩道の塵をリング１５に入れるためである。
【００３５】  こうした大切な役目のあるリング１５は、塵取り入れ口６の横巾を若干超えるサイズであり、且つ形状は「口」の字形で中は空洞である。
【００３６】  リング１５が「口」の字状で中が空洞であることは、この中に塵袋１６をセットするためである。
【００３７】  またリング１５が塵取り箱４の巾以上であることは、後述する補助輪１に付ける突起２７が周回転するとき、塵取り箱４には当たらず、これより出っ張ったリング１５にだけ当たりこれを動かすようにするためである。
【００３８】  そのため突起２７は、補助輪１の塵取り箱４側に、且つ補助輪１の外周に取り付ける。突起２７とバネ付き蝶番７の効果で、リング１５は補助輪１が廻るとブランコ運動を繰り返す。当初の試作品実験では塵袋１６を単純に地面の上を引きずるだけとしたが思うような塵取り効果が出ず、最終的にこのブランコ運動で所期の目標を達成した。特にバネ付き蝶番７の効果は大きく、突起２７で後ろへ引かれたリング１５は、バネで勢いよく前方へ繰り出され、歩道の塵を塵袋１６に入れる。
【００３９】  図面２の中で、「塵袋装着時」と示したように、リング１５には塵袋１６を「口」の字の中に装着する。前述したように、リング１５は文字通りリングで中は空間である。リング１５がブランコ運動して塵を集めるには、リング１５に塵袋１６を付けなければならない。買い物した時のコンビニ袋などをセットして、袋の底は塵取り箱４に入れておく。塵がたまったら、塵袋１６をリング１５から外しそのまま塵置き場へ捨てれば手を汚すことはない。
【００４０】  最後にリング１５の適宜な部位にコントロールワイヤー１３を取り付ける。運転者はこのコントロールワイヤー１３を操作して、リング１５を塵取り入れ口６の方向に引き上げれば、補助輪１の外周に付けた突起２７はリング１５に当たらず、従ってリング１５はブランコ運動せず、清掃運動はしない。
【００４１】  請求項３を、第３図と第８図を見ながら説明する。請求項３は、補助輪１の回転そのもので地面の塵を掃く清掃器を付けた自転車の補助輪である。
【００４２】  主柱となるのは、本体から垂下する１本のまっすぐな棒状の剛体であるＩ字形支柱１８である。これに補助輪シャフト２０を繋ぐため下部に軸穴１９を開ける。
【００４３】  この軸穴１９に、補助輪シャフト２０を回転自在に取り付ける。補助輪シャフト２０の反対側の先端には補助輪１が固定され、補助輪シャフト２０と補助輪１は同回転するようにする。
【００４４】  補助輪シャフト２０のシャフト部分に、複数の箒１２を取り付ける。箒１２の材質や取り付け位置や役目は、請求項１のそれと同じである。
【００４５】  最後に、長方体の塵取り箱４をＩ字型支柱１８に取り付けるがその取り付けは、走行方向の面を開口した塵取り入れ口６が、周回転する箒１２と接触しないよう配慮する。
【００４６】  補助輪１が回転すると箒１２で歩道の塵を掃き、塵取り箱４に入れる。この形は、人が庭掃除するとき右手に箒を左手に塵取りを持つ形で、従って出来るだけ塵取り入れ口６と箒１２を近い位置に置くとよい。
【００４７】  請求項４を、第４図を見ながら説明する。請求項４は、前記請求項１と請求項２と請求項３における補助輪１の、駐輪時のスタンドである。
【００４８】  補助輪１の円周内の適宜な部位にバネ付き蝶番７を取り付け、これに繋いで、補助輪１の直径内に収まる大きさの、平板にして肉厚の補助輪スタンド２１を取り付ける。
【００４９】  使用するとき、すなわち走り終わって自転車を使わないときは、補助輪１から補助輪スタンド２１を取出し手前に倒せばいい。幅の広い補助輪スタンド２１が地面にしっかり接地し、転倒を防ぐ。そもそもこの発明の請求項１から３は、自転車の右側と左側の両サイドの補助輪１に取り付けるので、左右の補助輪スタンド２１が地面に接地して、倒れないようしっかり駐輪できるのである。
【００５０】  なお、補助輪スタンド２１に設けた鍵穴２２を鍵で施錠すれば、自転車本体のロックとこの補助輪１のロックで２重ロックとなり盗難をより防ぐ。
【００５１】  請求項５を、第５図を見ながら説明する。請求項５は補助輪１に付ける荷台である。左右の補助輪１に付けた塵取り箱４の上部に、荷物バスケット２４を設置する。
【００５２】  この目的のため、後輪の荷台前記請求項１と請求項２においては補助輪１のＬ字形支柱３の水平部位に、また請求項３においてはＩ字形支柱１８の垂直部位に、籠状の荷物バスケット２４を固定する。
【００５３】  その使用で、自転車の前輪のバスケットや後輪の荷台に乗せる荷物を補助輪のバスケット左右２ケ所に分散でき、自転車走行時のバランスをよくする。さらに荷物バスケット２４に積んだ荷物は地面に近く、重心をかなり下に下げるので、自転車の走行をさらに安定させる。
【産業上の利用可能性】
【００５４】  今までの効用が移動目的でしかなかった自転車に、清掃という新しい効用を追加し、自転車関連産業に新しい需要を喚起する。
【符号の説明】
【００５５】１      補助輪
２      ハブ
３      Ｌ字形支柱
４      塵取り箱
５      固定ネジ
６      塵取り入れ口
７      バネ付き蝶番
８      屋根
９      ローラー
１０    ローラーシャフト
１１    フック
１２    箒
１３    コントロールワイヤー
１４    補助輪の走行方向を示す
１５    リング
１６    塵袋
１７    リングのブランコ運動を示す
１８    Ｉ字形支柱
１９    軸穴
２０    補助輪シャフト
２１    補助輪スタンド
２２    鍵穴
２３    補助輪スタンドの使用時を示す
２４    荷物バスケット
２５    荷物出し入れ口
２６    網
２７    突起
【図１】
2015151124.tif 000003
【図２】
2015151124.tif 000004
【図３】
2015151124.tif 000005
【図４】
2015151124.tif 000006
【図５】
2015151124.tif 000007
【図６】
2015151124.tif 000008
【図７】
2015151124.tif 000009
【図８】
2015151124.tif 000010